(57)【要約】      （修正有） 【課題】店舗の窓等に垂設するための遮光幕に関するものであって、照度の低い側から照度が高い側を見た場合は透視され、照度の高い側から照度が低い側を見た場合は遮蔽された状態となるようなシースルー機能を果すことができる遮光幕に関するものであって、その機能的特性を著しく高める。【解決手段】遮光幕Ｍとして、黒色ポリウレタンフイルム製芯材４の正面及び背面に、表面に所要の図柄を表示した織編物製外層材5，6を、２液ウレタン接着剤に白色顔料として酸化チタンを添加した接着剤層7，8を介して夫々重合貼着すると共に、その表面全体に正面側から背面側に貫通する無数の透視用貫通孔９を穿設して形成した遮光幕Ｍを用いて成るシースルー機能を有する遮光幕。【選択図】図３
0003117929.tif 000002
【実用新案登録請求の範囲】
【請求項１】
遮光幕Ｍとして、黒色ポリウレタンフイルム製芯材（４）の正面及び背面に、表面に所要の図柄を表示するための織編物製外層材（5，6）を、２液ウレタン接着剤に白色顔料として酸化チタンを添加した接着剤層（7，8）を介して夫々重合貼着すると共に、正面側から背面側に貫通する無数の透視用貫通孔（９）をその表面全体に穿設して成る遮光幕（Ｍ）を用いたシースルー機能を有する遮光幕。
【請求項２】
遮光幕Ｍとして、黒色ポリウレタンフイルム製芯材（４）の正面及び背面に、表面に所要の図柄を表示するための織編物製外層材（5，6）を、２液ウレタン接着剤に白色顔料として酸化チタンを添加した接着剤層（7，8）を介して夫々重合貼着すると共に、正面側から背面側に貫通する無数の透視用貫通孔（９）をその表面全体に穿設して成る遮光幕（Ｍ）を用い、当該遮光幕（Ｍ）の上端及び下端にループ部（１,２）を形成すると共に、これに安定用棒材（1ａ，2ａ）を挿通させ、更に、当該遮光幕（Ｍ）の上縁両端部に吊下げ用紐（３）を取り付けて成るシースルー機能を有する遮光幕。
【考案の詳細な説明】
【技術分野】
【０００１】
本考案は、店舗の窓等に垂設するための遮光幕に関するものであって、照度の低い側から照度が高い側を見た場合は透視され、照度の高い側から照度が低い側を見た場合は遮蔽された状態となるようなシースルー機能を果すことができる遮光幕に関するものである。
【背景技術】
【０００２】
特許文献１に記載された従来技術として、「表面から見ると印刷面であり、裏面からは透明性を具えたシースルータイプとなる印刷物が提案されており、このシースルー印刷物は、店舗のウインドウグラスやタクシーのサイドウインドウグラスなどに貼られて、装飾用や広告用として用いられるようになっている。」、そして、「従来のシースルー印刷物は不透明の可撓性フイルムに溝孔を多数開口して多数の溝孔部分とし、この溝孔部分でのシースルー機能が発揮される」、そして「該シースルー印刷物が印刷面を外方に向けてウインドウガラスなどに貼り付けられた場合、明るい外方からは簾の要領で暗い室内が遮蔽された状態で印刷面を確認できる一方、暗い室内からは前記多孔部分を通じて明るい外方を見ることができる。」ようにした「シースルー印刷物」が提示されている。
【０００３】
【特許文献１】特開２００１−２３２９７６号
【考案の開示】
【考案が解決しようとする課題】
【０００４】
本考案は、上述したような従来の「シースルー印刷物」を踏まえ、その利用性を著しく高めた「シースルー機能を有する遮光幕」という新規の製品の提供を図ったものである。
【課題を解決するための手段】
【０００５】
本考案は、遮光幕Ｍとして、黒色ポリウレタンフイルム製芯材４の正面及び背面に、表面に所要の図柄を表示するための織編物製外層材5，6を、２液ウレタン接着剤に白色顔料として酸化チタンを添加した接着剤層7，8を介して夫々重合貼着すると共に、正面側から背面側に貫通する無数の透視用貫通孔９を穿設して形成した遮光幕Ｍを用いて成るシースルー機能を有する遮光幕に係るものである。  
【０００６】
そして、遮光幕Ｍとして、黒色ポリウレタンフイルム製芯材４の正面及び背面に、表面に所要の図柄を表示するための織編物製外層材5，6を、２液ウレタン接着剤に白色顔料として酸化チタンを添加した接着剤層7，8を介して夫々重合貼着すると共に、その表面全体に無数の透視用貫通孔９を穿設して形成した遮光幕Ｍを用い、当該遮光幕Ｍの上端及び下端にループ部１,２を形成すると共に、これに安定用棒材1ａ，2ａを挿通させ、更に、当該遮光幕Ｍの上縁両端部に吊下げ用紐３を取り付けて成るシースルー機能を有する遮光幕を第２実施例とするものである。
【考案の効果】
【０００７】
本考案に係るシースルー機能を有する遮光幕は、請求項１に記載のように、遮光幕Ｍとして、黒色ポリウレタンフイルム製芯材４の正面及び背面に、表面に所要の図柄を表示するための織編物製外層材5，6を、２液ウレタン接着剤に白色顔料として酸化チタンを添加した接着剤層7，8を介して夫々重合貼着すると共に、その表面全体に正面側から背面側に貫通する無数の透視用貫通孔９を穿設して形成した遮光幕Ｍを用いるように構成したから、下記するような優れた機能を有する遮光幕の提供が果される。
【０００８】
すなわち、遮光幕の両面に異なる図柄が表示されるため、店舗内の遮光幕として使用した場合、店舗内側の図柄を店舗内雰囲気にマッチした図柄とすることにより、装飾的価値を奏する。  そして、店舗外側の模様を、招客効果を奏する図柄とすることにより、一種の広告効果を得ることが出来る。  すなわち、両面を夫々独自の目的を持った使用に従事させることができる遮光幕としての利用が図られることとなる。
【０００９】
更に、遮光幕の芯材4を黒色ポリウレタンフイルム製としたから、当該芯材が黒色であるために、光の通過を良好に阻止し、優れた遮光性が奏される。  同時に、芯材４の使用材質が奏する軽量性及び柔軟性に基づき、遮光幕自体の卓越した軽量性及び柔軟性が得られることとなる。
【００１０】
同時に、当該芯材４の表裏には、織編物製外層材5，6を重合貼着するための２液ウレタン接着剤に白色顔料として酸化チタンを添加した接着剤層7，8が形成してあるため、当該接着剤層の白色顔料が、芯材の黒色性を打ち消しで白色の下地を形成したような形態となる。
そのため、これに重合貼着する織編物製外層材5，6に表す図柄が、薄い色合いのものであっても、その色調に変化を生じさせない。  すなわち、通常、ポリウレタンフイルム製芯材４の黒色が織編物製外層材5，6の図柄表面側に透過してしまい、その色合いに変調をきたすこととなるが、本考案にあっては、接着剤層7，8を白色顔料含有のものとしたから、当該芯材４の黒色性が隠され、このような問題発生をよく回避する。
【００１１】
そして、本考案は上述したような構成を備えた遮光幕Ｍは、その表面全体に正面側から背面側に貫通する無数の透視用貫通孔９を穿設するものであるから、「両面に異なる図柄が表示されると共に、その図柄は黒色である芯材４による影響が排除されたものとされる」と言う機能を具えた独自の遮光幕に対して、シースルー作用を付加することとなる。  従って、本考案によれば、新しいタイプの遮光幕の提供が果される。
【００１２】
本考案は請求項２に記載のような構成、すなわち、遮光幕Ｍの上端及び下端にループ部１,２を形成すると共に、これに安定用棒材1ａ，2ａを挿通させ、更に、当該遮光幕Ｍの上縁両端部に吊下げ用紐３を取り付けて実施することにより、窓等に対する利用が極めて簡便に果されることとなる。  すなわち、本考案は、遮蔽幕Ｍ自体を窓ガラス等に貼り付けての使用も可能とするものであるが、請求項２に記載のように既存の吊下げ手段を付加して実施することにより、その使用上の簡便性が図られる。
【考案を実施するための最良の形態】
【００１３】
図１及び図２において、Ｍは所要の大きさを具えた遮光幕であって、その正面及び背面には、正面には所要の図柄Ａ（図面に於いては例示的にＡの白抜き文字で表してある。）を、また、背面には当該図柄Ａとは異なった他の所要図柄Ｂ（図面に於いては例示的にＢの白抜き文字で表してある。）と言うように、表裏異なった図柄を表示するものである。  
また、当該遮光幕Ｍの上端及び下端にはループ部１,２を形成すると共に、これに安定用棒材1ａ，2ａを挿通させることによって、当該遮光幕Ｍの吊り下げ時の安定化が図られるように構成してある。  ３は当該遮光幕Ｍの上縁両端部に取り付けた吊下げ用紐を示す。
なお、上記のようなこのような安定用棒材1ａ，2ａ及び吊下げ用紐３を設けることは、遮光幕Ｍの一使用例を示したものであって、本考案の要旨とするところは、遮光幕Ｍ自体の構成に存するものである。  以下、当該遮光幕１の構成を図面について詳細に説明する。
【００１４】
図３において、４は黒色ポリウレタンフイルム製芯材であって、遮光幕Ｍの強度的主体材としての地位を占めるものである。  ポリウレタンフィルムは可撓性に富むと共に、極めて軽量にもかかわらず強靭性を具えているため、本考案に係る遮光幕の芯材として採用した。  なお、ポリウレタンフィルムを黒色のものを用いたのは、光遮蔽性を得るためである。  すなわち、これを薄い色とした場合、光が透過して遮光幕として機能しないからである。
【００１５】
5，6は表面に所要の図柄が織り込みまたは印刷等の手段で表示するための織編物製外層材であって、前記した黒色ポリウレタンフイルム製芯材４の表裏両面に対して重合貼着してある。  そして、当該織編物製外層材5，6に施す図柄であるが、これは一方は室内から見た場合にその室内雰囲気にマッチした図形に、また、他方は外から見た場合の外観的美観が奏されるような図形とするような、表裏異なった図柄とするように設定されている。  更に、当該図柄の形成は、外装材5，6に予め形成しておくか、或いは、後述するように最終的に形成するように構成してもよい。
【００１６】
ところで、上記した黒色ポリウレタンフイルム製芯材４の表裏両面に対する織編物製外層材5，6の重合貼着であるが、これに用いる接着剤としては、２液ウレタン接着剤に白色顔料として酸化チタンを添加した接着剤層7，8を介して一体的に重合接着するように構成してある。  なお、当該２液ウレタン接着剤と白色顔料の混合比率であるが、これは86：14程度とすることが好ましい。  然し乍、これは絶対的な条件ではなく、白色顔料が下記する効果を奏する程度の比率であれば、適宜なものであって可とする。
【００１７】
なお、接着剤層7,8として白色顔料である酸化チタンを添加したものを用いたのは、織編物製外層材5，6に施した図柄に黒色ポリウレタンフイルム製芯材４の存在が影響しないようにするためである。
すなわち、前述したように遮光性の点から黒色ポリウレタンフイルム製芯材４を使用した関係上、織編物製外層材5，6に施した図柄が薄い色合いの場合、ポリウレタンフイルム製芯材４の黒色が透過してしまい、その色合いに変調を来たすこととなるが、上記したように接着剤層7，8を白色顔料含有のものとすることにより、当該芯材４の黒色性が隠されるからである。
【００１８】
上記のように黒色ポリウレタンフイルム製芯材４の表裏両面に対して織編物製外層材5，6を重合貼着した状態に於いて、パンチング加工を施すことにより、その表面には、正面側から背面側に貫通する無数の透視用貫通孔９を穿設するように構成してある。  図４に示す実施例にあっては、当該貫通孔９は横長楕円状を呈する貫通孔と、縦長楕円状を呈する貫通孔とを等間隔にしてかつ互い違いに配設するように構成してある。  これは、当該貫通孔９の存在が視覚的に邪魔にならないような配慮に基づくものである。  然し乍、本考案に於いてはこのような透視用貫通孔配列形態は絶対的なものではなく、一つの実施例として例示したものであり、例えば円孔を、所定間隔を保って縦横に配設するように構成してもよい。
【００１９】
更に、既述した遮蔽幕Ａに対する図柄の形成であるが、これは、外装材5，6に予め形成しておくか、或いは、前述したように重層化及び穿孔が成された遮蔽幕に対して、最終的に印刷等に基づき図柄を形成するように構成してもよい。  この場合は、長尺物の素材に対して当該模様を複数単位連続的に形成した後、これを所定単位毎に裁断すると言うような製造工程を採ることにより、製造作業の合理化及び迅速化が図られることとなる。
【００２０】
本考案に係るシースルー機能を有する遮光幕は、例えば店舗等の窓に吊り下げることにより、透視用貫通孔９に依る流入光量の制限化に基づき日除けとして機能することとなる。  同時に、昼間の場合、店舗内に比べて店舗外のほうが明るいため、透視用貫通孔９の配設に基づき、すなわち、簾と同様な原理に基づくシースルー作用に基づき、店舗内から外が見えるが店舗外からは内部が見えない、と言うような作用を呈することとなる。  そして、夜間の場合、店舗内に比べて店舗外のほうが暗いいため、上記の逆作用で、店舗外から内が見えるが、店舗内からは外が見えない、と言うような作用を呈することとなる。
【００２１】
そして、遮光幕Ｍの正面及び背面には、それぞれ異なった図柄が表されているため、店舗内側及び店舗外側の何れにも最適とする図柄の表示が行われる。
【図面の簡単な説明】
【００２２】
【図１】本考案に係る遮光幕の一実施例を表した正面図である。
【図２】同上背面図である。
【図３】図１におけるＸ−Ｘ線部分で切断して本考案の要部を表した拡大断面図である。
【図４】本考案における貫通孔９の穿孔状態の一例を表した拡大正面図である。
【符号の説明】
【００２３】
Ｍ  遮光幕
Ａ  図柄
Ｂ  図柄
１  ループ部
２  ループ部
1ａ 安定用棒材
2ａ 安定用棒材
３  吊下げ用紐
４  黒色ポリウレタンフイルム製芯材
５  織編物製外層材
６  織編物製外層材
７  接着剤層
８  接着剤層
９  透視用貫通孔
【図１】
0003117929.tif 000003
【図２】
0003117929.tif 000004
【図３】
0003117929.tif 000005
【図４】
0003117929.tif 000006